(57)【特許請求の範囲】
【請求項１】
表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、一方の前記平面板部と前記隔壁部とが除去され且つ他方の前記平面板部が残存して前記長手方向に連続する電線経路変更部が形成され、
前記電線挿通孔に挿通された前記電線の経路が前記電線経路変更部で変更される
ことを特徴とするワイヤハーネス。
【請求項２】
前記電線経路変更部で経路変更された電線は、前記電線挿通孔に挿通された前記電線の配列方向へ引き出されている
ことを特徴とする請求項１に記載のワイヤハーネス。
【請求項３】
表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、少なくとも一方の前記平面板部と前記隔壁部とが除去された電線経路変更部が形成され、
前記電線挿通孔に挿通された前記電線の経路が前記電線経路変更部で変更され、
前記電線経路変更部で経路変更された電線は、前記電線挿通孔に挿通された前記電線の配列方向へ引き出され、
前記複数本の電線のうち、前記電線経路変更部で経路変更された電線は、他の電線に係止されている
ことを特徴とするワイヤハーネス。
【請求項４】
前記電線経路変更部で経路変更された電線は、前記電線挿通孔に挿通された前記電線の配列の面と交差する方向へ引き出されている
ことを特徴とする請求項１に記載のワイヤハーネス。
【請求項５】
表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、少なくとも一方の前記平面板部と前記隔壁部とが除去された電線経路変更部が形成され、
前記電線挿通孔に挿通された前記電線の経路が前記電線経路変更部で変更され、
前記電線経路変更部で経路変更された電線は、前記電線挿通孔に挿通された前記電線の配列の面と交差する方向へ引き出され、
前記電線経路変更部には、前記配索材の一部を分割した分割体が連結され、前記電線経路変更部で経路変更された電線が、前記分割体の電線挿通孔に挿通されている
ことを特徴とするワイヤハーネス。
【請求項６】
表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、少なくとも一方の前記平面板部と前記隔壁部とが除去された電線経路変更部が形成され、
前記電線挿通孔に挿通された前記電線の経路が前記電線経路変更部で変更され、
前記電線経路変更部で経路変更された電線は、前記電線挿通孔に挿通された前記電線の配列の面と交差する方向へ引き出され、
前記配索材の前記電線経路変更部には、前記電線経路変更部で経路変更された電線の端部が接続されるコネクタが設けられている
ことを特徴とするワイヤハーネス。
【請求項７】
表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、少なくとも一方の前記平面板部と前記隔壁部とが除去された電線経路変更部が形成され、
前記電線挿通孔に挿通された前記電線の経路が前記電線経路変更部で変更され、
前記電線経路変更部で経路変更された電線が、他の電線挿通孔に挿通されている
ことを特徴とするワイヤハーネス。
【請求項８】
表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、少なくとも一方の前記平面板部と前記隔壁部とが除去された電線経路変更部が形成され、
前記電線挿通孔に挿通された前記電線の経路が前記電線経路変更部で変更され、
前記電線挿通孔が交差するように複数の前記配索材が重ね合わされ、それぞれの前記配索材の前記電線経路変更部同士が対向配置され、一方の前記配索材の前記電線経路変更部で経路変更された電線が他の前記配索材の前記電線挿通孔に挿通されている
ことを特徴とするワイヤハーネス。
【請求項９】
複数の前記配索材に形成されている前記電線経路変更部が互いにかみ合わされている
ことを特徴とする請求項８に記載のワイヤハーネス。
【発明の詳細な説明】
【技術分野】
【０００１】
本発明は、複数本の電線を並列に配置させたワイヤハーネスに関する。
【背景技術】
【０００２】
ワイヤハーネスとして、複数本の電線を並列に配置させて粘着テープや樹脂材によって一体化させたフラットケーブルが知られている（例えば、特許文献１，２参照）。
【先行技術文献】
【特許文献】
【０００３】
【特許文献１】特開２０００−１００２５５号公報
【特許文献２】特開平９−１１５３４１号公報
【発明の概要】
【発明が解決しようとする課題】
【０００４】
ところで、ワイヤハーネスは、幹線、枝線で構成されるため、幹線から枝線を分岐させる必要がある。したがって、複数本の電線を配列させたワイヤハーネスの途中において、所定の電線の経路を変更して分岐等を行うことが要求される。
【０００５】
しかし、上記のワイヤハーネスでは、複数本の電線を並列状態に一体化させているため、電線の経路を途中で変更することが困難であった。このため、ワイヤハーネスの端部で所定の電線の経路を変更しなければならず、電線の無駄が生じていた。
【０００６】
例えば、特許文献１のワイヤハーネスでは、所定の電線を粘着テープから剥がして途中から経路を変更することが可能であるが、その作業が煩雑であるとともに、経路を変更した電線の他の部分も粘着テープから剥がれて浮き上がってしまうなどの不具合が生じて品質低下を招いてしまう。
【０００７】
また、特許文献２のワイヤハーネスでは、樹脂材からなる形状保持部で所定の電線を屈曲させた状態として分岐させることが示されている。しかし、この形状保持部を形成するためには、その形成位置に部分固定具を装着し、この部分固定具に樹脂材を充填し、樹脂材の固化後に部分固定具を取り外すという煩雑な作業を要する。このように、この特許文献２に記載のワイヤハーネスでは、専用設備が必要であり、製造に手間及び時間がかかり、高価なものとなってしまう。
【０００８】
本発明は、上述した事情に鑑みてなされたものであり、その目的は、コスト及び品質低下を抑えつつ、並列に配列された複数本の電線のうちの所定の電線の経路を所定の位置から容易に変更可能なワイヤハーネスを提供することにある。
【課題を解決するための手段】
【０００９】
前述した目的を達成するために、本発明に係るワイヤハーネスは、下記（１）〜（９）を特徴としている。
（１）  表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、一方の前記平面板部と前記隔壁部とが除去され且つ他方の前記平面板部が残存して前記長手方向に連続する電線経路変更部が形成され、
前記電線挿通孔に挿通された前記電線の経路が前記電線経路変更部で変更される
ことを特徴とするワイヤハーネス。
（２）  前記電線経路変更部で経路変更された電線は、前記電線挿通孔に挿通された前記電線の配列方向へ引き出されていることを特徴とする上記（１）に記載のワイヤハーネス。
（３）  表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、少なくとも一方の前記平面板部と前記隔壁部とが除去された電線経路変更部が形成され、
前記電線挿通孔に挿通された前記電線の経路が前記電線経路変更部で変更され、
前記電線経路変更部で経路変更された電線は、前記電線挿通孔に挿通された前記電線の配列方向へ引き出され、
前記複数本の電線のうち、前記電線経路変更部で経路変更された電線は、他の電線に係止されている
ことを特徴とするワイヤハーネス。
（４）  前記電線経路変更部で経路変更された電線は、前記電線挿通孔に挿通された前記電線の配列の面と交差する方向へ引き出されていることを特徴とする上記（１）に記載のワイヤハーネス。
（５）  表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、少なくとも一方の前記平面板部と前記隔壁部とが除去された電線経路変更部が形成され、
前記電線挿通孔に挿通された前記電線の経路が前記電線経路変更部で変更され、
前記電線経路変更部で経路変更された電線は、前記電線挿通孔に挿通された前記電線の配列の面と交差する方向へ引き出され、
前記電線経路変更部には、前記配索材の一部を分割した分割体が連結され、前記電線経路変更部で経路変更された電線が、前記分割体の電線挿通孔に挿通されている
ことを特徴とするワイヤハーネス。
（６）  表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、少なくとも一方の前記平面板部と前記隔壁部とが除去された電線経路変更部が形成され、
前記電線挿通孔に挿通された前記電線の経路が前記電線経路変更部で変更され、
前記電線経路変更部で経路変更された電線は、前記電線挿通孔に挿通された前記電線の配列の面と交差する方向へ引き出され、
前記配索材の前記電線経路変更部には、前記電線経路変更部で経路変更された電線の端部が接続されるコネクタが設けられている
ことを特徴とするワイヤハーネス。
（７）  表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、少なくとも一方の前記平面板部と前記隔壁部とが除去された電線経路変更部が形成され、
前記電線挿通孔に挿通された前記電線の経路が前記電線経路変更部で変更され、
前記電線経路変更部で経路変更された電線が、他の電線挿通孔に挿通されている
ことを特徴とするワイヤハーネス。
（８）  表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えたワイヤハーネスであって、
前記配索材には、前記電線挿通孔に沿う長手方向における中間部に、少なくとも一方の前記平面板部と前記隔壁部とが除去された電線経路変更部が形成され、
前記電線挿通孔に挿通された前記電線の経路が前記電線経路変更部で変更され、
前記電線挿通孔が交差するように複数の前記配索材が重ね合わされ、それぞれの前記配索材の前記電線経路変更部同士が対向配置され、一方の前記配索材の前記電線経路変更部で経路変更された電線が他の前記配索材の前記電線挿通孔に挿通されている
ことを特徴とするワイヤハーネス。
（９）  複数の前記配索材に形成されている前記電線経路変更部が互いにかみ合わされていることを特徴とする上記（８）に記載のワイヤハーネス。
【００１０】
上記（１）の構成のワイヤハーネスでは、配索材の長手方向の中間部に形成された電線経路変更部において、電線の経路を極めて容易に変更することができる。これにより、専用設備を用いて煩雑な作業で電線の経路を変更することなく、また、品質低下を招くことなく、コストを抑えつつ並列に配列された複数本の電線のうちの所定の電線の経路を所定の位置で容易に変更し、分岐等を行うことができる。
また、配索材によって電線を保護して良好な品質を維持させることができ、しかも、電線を保護するための外装部材などを不要にでき、軽量化が図れる。
また、粘着テープを貼り付けて電線を配列させたり、配列させた電線を樹脂で固定したものと比較して容易に解体することができる。
上記（２）の構成のワイヤハーネスでは、所定の電線を電線経路変更部から電線の配列方向へ引き出して分岐させることができる。また、分岐させた電線を他の電線で係止することにより、電線のたるみを防止することができる。
上記（３）の構成のワイヤハーネスでは、引き出した電線が他の電線に係止されているので、引き出した電線のばらつきや弛みを抑制して整列させることができる。
上記（４）の構成のワイヤハーネスでは、所定の電線を電線経路変更部から電線の配列の面と交差する方向へ引き出して分岐させることができる。
上記（５）の構成のワイヤハーネスでは、電線の配列の面と交差する方向へ引き出した電線を分割体の電線挿通孔で保持させることができる。これにより、引き出した電線を保護することができるとともに、引き出した電線のばらつきや弛みを抑制して整列させることができる。
上記（６）の構成のワイヤハーネスでは、配索材の電線経路変更部に設けられたコネクタに電線経路変更部で経路変更された電線の端部が接続されているので、コネクタ接続のための電線の引き出し長さを極力短くでき、しかも、構造の簡略化を図れる。
上記（７）の構成のワイヤハーネスでは、電線経路変更部で経路変更された電線の配線方向を他の電線挿通孔に導くことができる。これにより、電線を最適経路に配線することができる。
上記（８）の構成のワイヤハーネスでは、一方の配索材の長手方向に沿って配線される電線の配線方向を、その配線方向と交差する方向へ導くことができる。これにより、電線を最適経路に配線することができる。また、それぞれの配索材の交差角度を変更することで、電線の配線方向を容易に調整することができる。
上記（９）の構成のワイヤハーネスでは、配索材の電線経路変更部がかみ合わされているので、重ね合わせた状態での厚さ寸法を極力抑えることができる。
【発明の効果】
【００１１】
本発明によれば、コスト及び品質低下を抑えつつ、並列に配列された複数本の電線のうちの所定の電線の経路を所定の位置から容易に変更可能なワイヤハーネスを提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、第１実施形態に係るワイヤハーネスの斜視図である。
【図２】図２は、第１実施形態に係るワイヤハーネスの製造工程を示す斜視図である。
【図３】図３は、第１実施形態の変形例１−１に係るワイヤハーネスの平面図である。
【図４】図４は、第１実施形態の変形例１−２に係るワイヤハーネスの斜視図である。
【図５】図５は、第２実施形態に係るワイヤハーネスの斜視図である。
【図６】図６は、第２実施形態に係るワイヤハーネスの概略断面図である。
【図７】図７は、第２実施形態に係るワイヤハーネスの製造工程を示す図であって、図７（ａ）及び図７（ｂ）は、それぞれ配索材の斜視図である。
【図８】図８は、第２実施形態の変形例２−１に係るワイヤハーネスを示す図であって、図８（ａ）はワイヤハーネスの斜視図、図８（ｂ）はワイヤハーネスの分解斜視図である。
【図９】図９は、第３実施形態に係るワイヤハーネスの斜視図である。
【図１０】図１０は、第４実施形態に係るワイヤハーネスの斜視図である。
【図１１】図１１は、第４実施形態に係るワイヤハーネスの概略断面図である。
【図１２】図１２は、第４実施形態に係るワイヤハーネスの製造工程を示す斜視図である。
【図１３】図１３は、第４実施形態の変形例４−１に係るワイヤハーネスの斜視図である。
【図１４】図１４は、第４実施形態の変形例４−１に係るワイヤハーネスの製造工程を示す斜視図である。
【発明を実施するための形態】
【００１４】
（第１実施形態）
以下、第１実施形態に係るワイヤハーネスについて図面を参照しながら説明する。
図１は、第１実施形態に係るワイヤハーネスの斜視図である。
【００１５】
図１に示すように、ワイヤハーネスＷは、平板形状の配索材１１と、複数本の電線２１とから構成されたフラットケーブルである。電線２１は、銅または銅合金等からなる導体を外被で被覆した絶縁電線からなる。
【００１６】
配索材１１は、例えば、ポリプロピレン樹脂（PP)等の樹脂から成形された平板形状の板材であり、いわゆるプラスチック段ボールである。
この配索材１１は、表裏の平面板部１２と、これらの平面板部１２の間に設けられた複数の隔壁部１３とを有している。隔壁部１３は、一方向へ向かって所定間隔をあけて配列されている。これにより、この配索材１１には、表裏の平面板部１２と各隔壁部１３とで囲われて一方向に配列された複数の電線挿通孔１４が所定方向に沿って形成されている。
【００１７】
配索材１１には、その電線挿通孔１４に電線２１が挿通されている。これにより、複数本の電線２１が配索材１１によって一列に並列された状態でまとめられてワイヤハーネスＷとされている。
【００１８】
配索材１１には、電線挿通孔１４の形成方向である長手方向の中間部に、電線経路変更部３１が設けられている。この電線経路変更部３１では、配索材１１における一方側の平面板部１２と隔壁部１３とが除去されている。これにより、この電線経路変更部３１では、電線挿通孔１４に挿通された電線２１が露出されている。
【００１９】
この電線経路変更部３１では、所定の電線２１Ａの配線経路が変更されている。具体的には、これらの電線２１Ａの配線経路が略直交する方向へ向けられて側方へ引き出されている。これらの電線２１Ａは、電線経路変更部３１によって二分割された同一の電線挿通孔１４にそれぞれ挿通されている。
【００２０】
この配線経路が変更された電線２１Ａの側方への引き出し部分は、例えば、隣接する電線２１及び最側方に配置された電線２１などの他の電線２１における配索材１１の平面板部１２側へ通されている。これにより、電線２１Ａの引き出し部分は、他の電線２１に係止されて保持されている。
【００２１】
このように、このワイヤハーネスＷでは、電線経路変更部３１において、所定の電線２１Ａの配線経路が変更されて引き出され、この引き出された部分が分岐線とされている。
【００２２】
図２は、第１実施形態に係るワイヤハーネスの製造工程を示す斜視図である。
図２に示すように、上記ワイヤハーネスＷを製造するには、配索材１１における長手方向の中間部において、一方側の平面板部１２と隔壁部１３とを除去して電線経路変更部３１を形成する。そして、この配索材１１に対して、その電線挿通孔１４に電線２１を挿通させる。このとき、所定の電線２１Ａを電線経路変更部３１で側方へ引き出し、他の電線２１に係止させる。これにより、電線経路変更部３１において、所定の電線２１Ａが引き出されて分岐線とされたワイヤハーネスＷが容易に得られる。また、電線挿通孔１４には、予め圧着端子２２が接続された電線２１を挿通することができ、その後の電線２１の端末加工を省くことができる。なお、電線２１に圧着端子２２が接続された電線を挿通することができるほうが、ワイヤハーネスＷの生産性的にはよいが、必ずしも電線２１に端子が圧着されていなくても良い。
【００２３】
このように、第１実施形態に係るワイヤハーネスＷによれば、配索材１１の長手方向の中間部に形成された電線経路変更部３１において、電線２１Ａの経路を極めて容易に変更することができる。これにより、専用設備を用いて煩雑な作業で経路を変更することなく、また、品質低下を招くことなく、コストを抑えつつ並列に配列された複数本の電線２１のうちの所定の電線２１Ａの経路を所定の位置で容易に変更し、分岐等を行うことができる。
【００２４】
また、配索材１１によって電線２１を保護して良好な品質を維持させることができ、しかも、電線２１を保護するための外装部材などを不要にでき、軽量化が図れる。
【００２５】
また、粘着テープを貼り付けて電線２１を配列させたり、配列させた電線２１を樹脂で固定したものと比較して容易に解体することができる。
【００２６】
また、所定の電線２１Ａを電線経路変更部３１から電線２１の配列方向へ引き出して分岐させることができる。
【００２７】
しかも、引き出した電線２１Ａが他の電線２１に係止されているので、引き出した電線２１Ａのばらつきや弛みを抑制して整列させることができる。
【００２８】
なお、配索材１１の一端側から電線挿通孔１４へ挿入した電線２１を電線経路変更部３１で経路変更した場合、電線経路変更部３１よりも他端側における電線挿通孔１４が空いてしまう。この場合、この空いた電線挿通孔１４に対して、経路変更が必要な電線２１Ａを配索材１１の他端側から挿入して電線経路変更部３１で経路変更することで、電線挿通孔１４に無駄なく電線２１を挿入することができる。これにより、配索材１１の幅寸法を抑えることができる。
【００２９】
次に、第１実施形態に係るワイヤハーネスＷの変形例について説明する。
（変形例１−１）
図３は、第１実施形態の変形例１−１に係るワイヤハーネスの平面図である。
図３に示すように、変形例１−１に係るワイヤハーネスＷでは、配索材１１の長手方向の中間部に複数の電線経路変更部３１が形成され、これらの電線経路変更部３１から所定の電線２１Ａの配線経路が変更されて引き出されて分岐線とされている。また、このワイヤハーネスＷでは、配索材１１の長手方向の端部にも電線経路変更部３１が形成され、この電線経路変更部３１から所定の電線２１Ａの配線経路が変更されて引き出されて分岐線とされている。
【００３０】
（変形例１−２）
図４は、第１実施形態の変形例１−２に係るワイヤハーネスの斜視図である。
図４に示すように、変形例１−２に係るワイヤハーネスＷでは、配索材１１の長手方向の中間部において、幅方向に間隔をあけた複数個所に電線経路変更部３１が形成されている。そして、配索材１１の幅方向の中間部に形成された一つの電線経路変更部３１から所定の電線２１Ａの配線経路が変更されて引き出されて分岐線とされている。この引き出された電線２１Ａは、配索材１１の幅方向の一側部に形成された他の電線経路変更部３１で露出されている他の電線２１に係止されて保持されている。
【００３１】
（第２実施形態）
次に、第２実施形態に係るワイヤハーネスについて説明する。
なお、第１実施形態と同一構成部分は同一符号を付して説明を省略する。
図５は、第２実施形態に係るワイヤハーネスの斜視図である。図６は、第２実施形態に係るワイヤハーネスの概略断面図である。図７は、第２実施形態に係るワイヤハーネスの製造工程を示す図であって、図７（ａ）及び図７（ｂ）は、それぞれ配索材の斜視図である。
【００３２】
図５及び図６に示すように、このワイヤハーネスＷでは、二つの電線経路変更部３１が形成されている。
【００３３】
一方の電線経路変更部３１では、配索材１１の平面板部１２及び隔壁部１３が除去されて表裏に貫通されている。そして、この電線経路変更部３１では、所定の電線２１Ａの配線経路が変更されて配索材１１の表裏に引き出されて分岐線とされている。また、他方の電線経路変更部３１では、配索材１１の一部が分割体１１ａとされ、この分割体１１ａが配索材１１の面に対して一方側へ向けて立設された状態に配置されている。
【００３４】
分割体１１ａを有する電線経路変更部３１を設けるには、図７（ａ）に示すように、配索材１１における電線経路変更部３１となる部分を切断して分割体１１ａを形成する。このとき、分割体１１ａの電線挿通孔１４と直交する二つの辺の一方において、一方の平面板部１２を切断しないで連結させておく。そして、図７（ｂ）に示すように、連結させておいた平面板部１２との連結箇所で屈曲させる。このようにすると、配索材１１の面に対して分割体１１ａが一方側へ向けて立設された電線経路変更部３１が得られる。
【００３５】
このように、第２実施形態に係るワイヤハーネスＷによれば、所定の電線２１Ａを電線経路変更部３１から電線２１の配列の面と交差する方向へ引き出して分岐させることができる。これにより、立体的な配線が可能である。
【００３６】
また、電線２１の配列の面と交差する方向へ引き出した電線２１Ａを分割体１１ａの電線挿通孔１４で保持させることができる。これにより、引き出した電線２１Ａを保護することができるとともに、引き出した電線２１Ａのばらつきや弛みを抑制して整列させることができる。
【００３７】
次に、第２実施形態に係るワイヤハーネスＷの変形例について説明する。
（変形例２−１）
図８は、第２実施形態の変形例２−１に係るワイヤハーネスを示す図であって、図８（ａ）はワイヤハーネスの斜視図、図８（ｂ）はワイヤハーネスの分解斜視図である。
図８（ａ）（ｂ）に示すように、この変形例２−１に係るワイヤハーネスＷでは、配索材１１の一方側の面における電線経路変更部３１に、複数の端子収容部４１を有するコネクタ４２が装着されている。このコネクタ４２には、電線経路変更部３１で配線経路が変更されて配索材１１の一方の面側へ引き出された電線２１Ａが引き込まれ、この電線２１Ａの端部に接続された圧着端子２２（図２参照）が端子収容部４１に収容されている。
【００３８】
このように、この変形例２−１に係るワイヤハーネスＷによれば、配索材１１の電線経路変更部３１に設けられたコネクタ４２に電線経路変更部３１で経路変更された電線２１Ａの端部が接続されているので、コネクタ接続のための電線２１Ａの引き出し長さを極力短くでき、しかも、コネクタクリップやブラケットなどの別個の固定部材を不要にでき、構造の簡略化を図れる。
【００３９】
（第３実施形態）
次に、第３実施形態に係るワイヤハーネスについて説明する。
なお、第１、第２実施形態と同一構成部分は同一符号を付して説明を省略する。
図９は、第３実施形態に係るワイヤハーネスの斜視図である。
【００４０】
図９に示すように、このワイヤハーネスＷでは、配索材１１の中央部に、電線経路変更部３１が形成されている。この電線経路変更部３１は、一方側の平面板部１２及び隔壁部１３を除去することで形成されている。なお、電線経路変更部３１は、他方側の平面板部１２を除去して表裏に貫通するものでも良い。
【００４１】
このワイヤハーネスＷでは、電線経路変更部３１において、配線経路が変更された電線２１Ａが、他の電線挿通孔１４に挿通されている。これにより、これらの電線２１Ａは、配索材１１の端部からの引き出し位置が、電線２１の配列の異なる位置に変更されている。
【００４２】
このように、第３実施形態に係るワイヤハーネスＷによれば、電線経路変更部３１で経路変更された電線２１Ａの配線方向を他の電線挿通孔１４に導くことができる。これにより、電線２１Ａを最適経路に配線することができる。
【００４３】
（第４実施形態）
次に、第４実施形態に係るワイヤハーネスについて説明する。
なお、第１から第３実施形態と同一構成部分は同一符号を付して説明を省略する。
図１０は、第４実施形態に係るワイヤハーネスの斜視図である。図１１は、第４実施形態に係るワイヤハーネスの概略断面図である。図１２は、第４実施形態に係るワイヤハーネスの製造工程を示す斜視図である。
【００４４】
図１０及び図１１に示すように、このワイヤハーネスＷは、複数の配索材１１を有しており、これらの配索材１１は、互いに重ね合わされている。配索材１１は、その中央部に、平面板部１２及び隔壁部１３を除去することで表裏に貫通する電線経路変更部３１が形成されている。
【００４５】
図１２に示すように、配索材１１は、その電線挿通孔１４が交差するように互いに重ね合わされている。そして、これらの重ね合わされた配索材１１は、その電線経路変更部３１が対向配置されている。
【００４６】
このワイヤハーネスＷでは、電線経路変更部３１において、一方の配索材１１の電線経路変更部３１で配線経路が変更された電線２１Ａが、他方の配索材１１の電線挿通孔１４に挿通されている。これにより、これらの電線２１Ａは、一方の配索材１１の端部と他方の配索材１１の端部とから引き出されている。
【００４７】
このように、第４実施形態に係るワイヤハーネスＷによれば、一方の配索材１１の長手方向に沿って配線される電線２１の配線方向を、その配線方向と交差する方向へ導くことができる。これにより、電線２１を最適経路に配線することができる。また、それぞれの配索材１１の交差角度を変更することで、電線２１の配線方向を容易に調整することができる。
【００４８】
次に、第４実施形態に係るワイヤハーネスＷの変形例について説明する。
（変形例４−１）
図１３は、第４実施形態の変形例４−１に係るワイヤハーネスの斜視図である。図１４は、第４実施形態の変形例４−１に係るワイヤハーネスの製造工程を示す斜視図である。
図１３及び図１４に示すように、この変形例４−１に係るワイヤハーネスＷは、複数の配索材１１を有しており、これらの配索材１１は、互いに重ね合わされている。これらの配索材１１は、その長手方向の中間部に、電線経路変更部３１が形成されている。上方側の配索材１１の電線経路変更部３１は、下方側の平面板部１２及び隔壁部１３を除去することで形成されており、下方側の配索材１１の電線経路変更部３１は、上方側の平面板部１２及び隔壁部１３を除去することで形成されている。
【００４９】
これらの配索材１１は、その電線挿通孔１４が交差するように互いに重ね合わされている。そして、これらの重ね合わされた配索材１１は、その電線経路変更部３１が互いにかみ合わされるように対向配置されている。これにより、それぞれの配索材１１は、表裏の平面板部１２の位置が略面一とされ、ワイヤハーネスＷは、全体の厚さが一つの配索材１１の厚さとされている。
【００５０】
このワイヤハーネスＷでは、電線経路変更部３１において、一方の配索材１１の電線経路変更部３１で配線経路が変更された電線２１Ａが、他方の配索材１１の電線挿通孔１４に挿通されている。これにより、これらの電線２１Ａは、一方の配索材１１の端部と他方の配索材１１の端部とから引き出されている。
【００５１】
この変形例４−１によれば、配索材１１の電線経路変更部３１がかみ合わされているので、重ね合わせた状態での厚さ寸法を極力抑えることができる。
【００５２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
例えば、上述した実施形態においては、配索材１１はプラスチック段ボールであったが、例えばフィルム状の軟質シートでもよい。
【００５３】
ここで、上述した本発明に係るワイヤハーネスの実施形態の特徴をそれぞれ以下［１］〜［９］に簡潔に纏めて列記する。
［１］  表裏の平面板部（１２）と、前記表裏の平面板部（１２）の間に設けられる複数の隔壁部（１３）とを有し、前記表裏の平面板部（１２）と一対の隣接する隔壁部（１３）とで囲われて一方向に配列された複数の電線挿通孔（１４）が形成された配索材（１１）と、前記配索材（１１）の前記電線挿通孔（１４）に挿通されて並列された複数本の電線（２１）と、を備えたワイヤハーネス（Ｗ）であって、
前記配索材（１１）には、前記電線挿通孔（１４）に沿う長手方向における中間部に、少なくとも一方の前記平面板部（１２）と前記隔壁部（１３）とが除去された電線経路変更部（３１）が形成され、
前記電線挿通孔（１４）に挿通された前記電線（２１Ａ）の経路が前記電線経路変更部（３１）で変更されることを特徴とするワイヤハーネス。
［２］  前記電線経路変更部（３１）で経路変更された電線（２１Ａ）は、前記電線挿通孔（１４）に挿通された前記電線（２１）の配列方向へ引き出されていることを特徴とする上記［１］に記載のワイヤハーネス。
［３］  前記複数本の電線のうち、前記電線経路変更部（３１）で経路変更された電線（２１Ａ）は、他の電線（２１）に係止されていることを特徴とする上記［２］に記載のワイヤハーネス。
［４］  前記電線経路変更部（３１）で経路変更された電線（２１Ａ）は、前記電線挿通孔（１４）に挿通された前記電線（２１）の配列の面と交差する方向へ引き出されていることを特徴とする上記［１］に記載のワイヤハーネス。
［５］  前記電線経路変更部（３１）には、前記配索材（１１）の一部を分割した分割体（１１ａ）が連結され、前記電線経路変更部（３１）で経路変更された電線（２１Ａ）が、前記分割体（１１ａ）の電線挿通孔（１４）に挿通されていることを特徴とする上記［４］に記載のワイヤハーネス。
［６］  前記配索材（１１）の前記電線経路変更部（３１）には、前記電線経路変更部（３１）で経路変更された電線（２１Ａ）の端部が接続されるコネクタ（４２）が設けられていることを特徴とする上記［４］に記載のワイヤハーネス。
［７］  前記電線経路変更部（３１）で経路変更された電線（２１Ａ）が、他の電線挿通孔（１４）に挿通されていることを特徴とする上記［１］に記載のワイヤハーネス。
［８］  前記電線挿通孔（１４）が交差するように複数の前記配索材（１１）が重ね合わされ、それぞれの前記配索材（１１）の前記電線経路変更部（３１）同士が対向配置され、一方の前記配索材（１１）の前記電線経路変更部（３１）で経路変更された電線（２１Ａ）が他の前記配索材（１１）の前記電線挿通孔（１４）に挿通されていることを特徴とする上記［１］に記載のワイヤハーネス。
［９］  複数の前記配索材（１１）に形成されている前記電線経路変更部（３１）が互いにかみ合わされていることを特徴とする上記［８］に記載のワイヤハーネス。
【符号の説明】
【００５４】
１１  配索材
１１ａ  分割体
１２  平面板部
１３  隔壁部
１４  電線挿通孔
２１，２１Ａ  電線
３１  電線経路変更部
４２  コネクタ
Ｗ  ワイヤハーネス
【図１】
0006562760.tif 000002
【図２】
0006562760.tif 000003
【図３】
0006562760.tif 000004
【図４】
0006562760.tif 000005
【図５】
0006562760.tif 000006
【図６】
0006562760.tif 000007
【図７】
0006562760.tif 000008
【図８】
0006562760.tif 000009
【図９】
0006562760.tif 000010
【図１０】
0006562760.tif 000011
【図１１】
0006562760.tif 000012
【図１２】
0006562760.tif 000013
【図１３】
0006562760.tif 000014
【図１４】
0006562760.tif 000015